(57)【要約】【課題】  監視状態に設定する必要がない防犯設備がある場合は、その防犯設備のみ監視状態にならないように設定でき、更に防犯設備を監視状態に設定可能かどうか事前に防犯設備の状態を知ることができる。【解決手段】  居室親機のタッチパネル１３を操作してディスプレイ６を監視設定画面にする。監視設定画面になったディスプレイ６は、防犯設備の監視／非監視を設定する監視設定ボタン「玄関Ａ」「玄関Ｂ」「窓Ａ」「窓Ｂ」を表示し、合わせて設定不可の状態にある防犯設備の監視設定ボタン「玄関Ａ」の色を赤で表示して設定不可であることを表示している。監視設定ボタンを押すことで個々の防犯設備は監視／非監視状態に設定される。【選択図】  図３
2007058663.tif 000002
【特許請求の範囲】
【請求項１】
戸建て住宅の門扉又は玄関に設置されて居住者を呼び出すための玄関子機と、室内に設置されて前記玄関子機からの呼び出しに応答するための居室親機とを有し、前記居室親機には、玄関、窓等に設けられた複数の防犯設備が接続されて、防犯上の異常を検知すると居室親機が防犯発報を行なうインターホンシステムであって、
前記複数の防犯設備のうち監視状態にする防犯設備を選択する監視設定選択手段を備え、前記監視設定選択手段は、選択設定するための操作部と、防犯設備の監視／非監視状態を表示する表示部とを有し、各防犯設備毎に個別の監視設定を可能としたことを特徴とするインターホンシステム。
【請求項２】
集合住宅のエントランスに設置されて居住者を呼び出すための集合玄関機と、各住戸の玄関に設置されて居住者を呼び出すための玄関子機と、室内に設置されて前記集合玄関機或いは玄関子機からの呼び出しに応答するための居室親機と、システムを制御する制御機とを有し、前記居室親機には、玄関、窓等に設けられた複数の防犯設備が接続されて、防犯上の異常を検知すると居室親機が防犯発報を行なう集合住宅のインターホンシステムであって、
前記複数の防犯設備のうち監視状態にする防犯設備を選択する監視設定選択手段を備え、前記監視設定選択手段は、選択設定するための操作部と、防犯設備の監視／非監視状態を表示する表示部とを有し、各防犯設備毎に個別の監視設定を可能としたことを特徴とするインターホンシステム。
【請求項３】
前記監視設定選択手段は、監視設定する際に、各防犯設備の事前の状態を前記表示部に表示可能であることを特徴とする請求項１又は請求項２記載のインターホンシステム。
【請求項４】
前記居室親機に、前記監視設定選択手段を備えたことを特徴とする請求項１乃至３の何れかに記載のインターホンシステム。
【請求項５】
前記居室親機は、無線通信機能を備えた携帯端末からの無線信号を受信して携帯端末のデータを居室親機の制御部に送信する外部接続送受信回路を有し、前記携帯端末から前記監視設定選択手段を操作可能であることを特徴とする請求項４記載のインターホンシステム。
【請求項６】
前記表示部は、液晶画面で構成されると共にタッチパネルを備えて構成され、監視設定する操作部でもあることを特徴とする請求項１乃至５の何れかに記載のインターホンシステム。
【請求項７】
前記表示部に表示される個々の防犯設備の名称を変更する名称変更手段を備えたことを特徴とする請求項１乃至６の何れかに記載のインターホンシステム。
【発明の詳細な説明】
【技術分野】
【０００１】
本発明は、防犯機能を備えたインターホンシステムに関する。
【背景技術】
【０００２】
従来のインターホンシステムにおいて、玄関や窓等が不審者に開けられたら警報を発する防犯機能を備えたインターホンシステムがある。このようなインターホンシステムは、玄関や窓等が開けられたらそれを検知するセンサ（防犯設備）を備え、防犯スイッチをオンすることでそれら防犯設備を監視状態に設定し、防犯設備が異常を検知したら居室親機等が警報を発するよう設定されている（例えば、特許文献１参照）。
【特許文献１】特開２０００−１３２７６５号公報
【発明の開示】
【発明が解決しようとする課題】
【０００３】
しかしながら、上記従来のインターホンシステムは、防犯設備を監視状態に設定すると接続されている全ての防犯設備が一斉に監視状態となり、監視してほしくないドア等があってもその防犯設備のみ動作しないように設定することはできなかった。そのため、監視したくない場所がある場合は、予め防犯設備の接続を外す等して対応しなければ成らず、面倒な作業が必要であった。
また、各監視部位の開閉状態や検知状態を事前に表示する機能がなく、利用者は監視状態に設定した後、戸締まり確認メッセージの報知が成されて初めて閉め忘れた窓等があることを認識することになり、使い勝手が悪かった。
【０００４】
そこで、本発明はこのような問題点に鑑み、監視状態に設定したくない防犯設備がある場合は、その防犯設備を除いて監視状態に設定でき、更に防犯設備を監視状態に設定可能かどうか事前に防犯設備の状態を知ることができるインターホンシステムを提供することを目的とする。
【課題を解決するための手段】
【０００５】
上記課題を解決する為に、請求項１に記載の発明は、戸建て住宅の門扉又は玄関に設置されて居住者を呼び出すための玄関子機と、室内に設置されて玄関子機からの呼び出しに応答するための居室親機とを有し、居室親機には、玄関、窓等に設けられた複数の防犯設備が接続されて、防犯上の異常を検知すると居室親機が防犯発報を行なうインターホンシステムであって、複数の防犯設備のうち監視状態にする防犯設備を選択する監視設定選択手段を備え、監視設定選択手段は、選択設定するための操作部と、防犯設備の監視／非監視状態を表示する表示部とを有し、各防犯設備毎に個別の監視設定を可能としたことを特徴とする。
この構成により、監視状態に設定する防犯設備を選択できるので、動作させたくない防犯設備がある場合は、その防犯設備を監視設定することなく他の防犯設備を監視状態に設定できる。そのため、開けておきたい窓や扉を開けたまま監視状態に設定できるし、監視状態設定後に開けることもでき、在宅の状態での監視設定に便利である。
【０００６】
請求項２の発明は、集合住宅のエントランスに設置されて居住者を呼び出すための集合玄関機と、各住戸の玄関に設置されて居住者を呼び出すための玄関子機と、室内に設置されて集合玄関機或いは玄関子機からの呼び出しに応答するための居室親機と、システムを制御する制御機とを有し、居室親機には、玄関、窓等に設けられた複数の防犯設備が接続されて、防犯上の異常を検知すると居室親機が防犯発報を行なう集合住宅のインターホンシステムであって、複数の防犯設備のうち監視状態にする防犯設備を選択する監視設定選択手段を備え、監視設定選択手段は、選択設定するための操作部と、防犯設備の監視／非監視状態を表示する表示部とを有し、各防犯設備毎に個別の監視設定を可能としたことを特徴とする。
この構成により、監視状態に設定する防犯設備を選択できるので、動作させたくない防犯設備がある場合は、その防犯設備を監視設定することなく他の防犯設備を監視状態に設定できる。そのため、開けておきたい窓や扉を開けたまま監視状態に設定できるし、監視状態設定後に開けることもでき、在宅の状態での監視設定に便利である。
【０００７】
請求項３の発明は、請求項１又は２に記載の発明において、監視設定選択手段は、監視設定する際に各防犯設備の事前の状態を表示部に表示可能であることを特徴とする。
この構成により、監視設定する際、事前に監視対象の開閉等の状態を確認できるので、監視設定したときに戸締まり確認メッセージの報知が成されることが無くなり、使用者は安心して設定できる。
【０００８】
請求項４の発明は、請求項１乃至３の何れかに記載の発明において、居室親機に監視設定選択手段を備えたことを特徴とする。
この構成により、居住者が自身で防犯設備を選択して監視設定でき、状況に応じて容易に設定を変更でき利便性が高い。
【０００９】
請求項５の発明は、請求項４に記載の発明において、居室親機は、無線通信機能を備えた携帯端末からの無線信号を受信して携帯端末のデータを居室親機の制御部に送信する外部接続送受信回路を有し、携帯端末から監視設定選択手段を操作可能であることを特徴とする。
この構成により、外出先から監視設定でき、設定し忘れた場合でも容易に対応できる。
【００１０】
請求項６の発明は、請求項１乃至５の何れかに記載の発明において、表示部は液晶画面で構成されると共にタッチパネルを備えて構成され、監視設定する操作部でもあることを特徴とする。
この構成により、防犯設備の状態が表示された表示部を直接操作して防犯設備の個別設定ができるので、操作し易い。また、タッチパネルとすることで別途選択スイッチ等を設ける必要がなく、操作部の構成を簡略にできる。
【００１１】
請求項７の発明は、請求項１乃至６の何れかに記載の発明において、表示部に表示される個々の防犯設備の名称を変更する名称変更手段を備えたことを特徴とする。
この構成により、防犯設備の設置場所に合わせて分かりやすい表示にでき、設定操作がし易くなるし、監視設定を間違えることが無くなる。
【発明の効果】
【００１２】
本発明によれば、動作させたくない防犯設備がある場合は、その防犯設備を監視設定することなく他の防犯設備を監視状態に設定でき、開けておきたい窓や扉に防犯設備が取り付けられていても、開けた状態で監視状態に設定でき、在宅の状態での監視設定に便利である。
また、監視設定時に監視対象の開閉等の状態を事前に確認できるので、監視設定した途端に発報動作するようなことが無くなり、使用者は安心して設定できる。
【発明を実施するための最良の形態】
【００１３】
以下、本発明を具体化した実施の形態を、図面に基づいて詳細に説明する。図１は本発明に係るインターホンシステムの第１の実施形態の構成図を示し、戸建て住宅に設置されるインターホンシステムを示している。図１において、１は門扉又は玄関に設置されて居住者を呼び出すための玄関子機、２は室内に設置されて玄関子機１からの呼び出しに応答するための居室親機、３（３ａ〜３ｄ）は玄関等の扉７（第１の扉７ａ，第２の扉７ｂ）や窓８（第１の窓８ａ，第２の窓８ｂ）に取付けられた防犯設備、４は携帯端末であり、玄関子機１と居室親機２は通信線１０で接続され、個々の防犯設備３と居室親機は信号線１１で接続されている。
【００１４】
尚、玄関子機１は来訪者を撮像するカメラ５を備え、居室親機２はカメラ５が撮像した来訪者映像を出画する液晶画面から成るディスプレイ６を備えている。また、携帯端末４は、公衆回線や無線ＬＡＮ等の通信回線を利用して居室親機２と無線通信が可能に構成されている。
【００１５】
図２は居室親機２の回路ブロック図を示し、１３は操作部としてのタッチパネル、１４は各種設定情報を記憶する記憶部、１５は居室親機２を制御する親機ＣＰＵ、１６はスピーカ、１７はアンプ、１８は防犯設備を接続する防犯設備Ｉ／Ｆ回路、１９はアンテナ１９ａを備えて携帯端末４と通信を実施するための外部接続送受信回路、２０は玄関子機１を接続する子機Ｉ／Ｆ回路である。
【００１６】
次に、上記構成のインターホンシステムの監視設定操作について図３のディスプレイ表示説明図を基に説明する。タッチパネル１３の所定の操作で監視設定モードに入ると、ディスプレイ６には図３に示すような監視設定画面が表示される。監視設定画面では、防犯装置の個々の監視／非監視を状態設定する監視設定ボタンが全面に表示されると同時に、個々の防犯設備３の状態が表示される。ここでは、防犯設備は「玄関Ａ」「玄関Ｂ」「窓Ａ」「窓Ｂ」の４つの監視設定ボタンで構成され、防犯設備が４ヶ所に設置されていることを示している。こうして、ディスプレイ６は操作部であると同時に防犯設備の状態を表示する表示部であり、監視設定選択手段となる。
尚「玄関Ａ」は第１の扉７ａ、「玄関Ｂ」は第２の扉７ｂ、「窓Ａ」は第１の窓８ａ、「窓Ｂ」は第２の窓８ｂに夫々対応している。また、監視設定選択手段は親機ＣＰＵ１５により制御される。
【００１７】
図３（ａ）は監視設定モードの初期画面を示し、監視設定画面に入るとこの画面が表示される。この画面は各防犯設備の現状の状態を表示し、ここでは「玄関Ａ」が例えば赤色で表示されて第１の扉７ａが開放状態にあり、監視設定できないことを示している。
監視設定モードに入ると、親機ＣＰＵ１５は各防犯設備３から防犯設備Ｉ／Ｆ回路１８を介して防犯設備情報を入手し、その情報に基づいて色分け表示する。「玄関Ａ」の防犯設備３ａが開放状態にあると、ディスプレイ６は、上述したように視覚的に開放状態と分かるように異なる色で表示する。これにより、監視設定する際、事前に監視対象の開閉等の状態を一目で確認できるので、監視設定したときに戸締まり確認メッセージの報知が成されることが無くなり、使用者は安心して設定できる。
【００１８】
図３（ｂ）は外出監視設定時の画面を示し、「外出」ボタンが押されて、４つの監視設定ボタンは全て監視状態に設定されていることを示している。この場合、例えば「外出」ボタン、「玄関１」「玄関２」「窓１」「窓２」の全ての監視設定ボタンが周囲の色とは異なる青色で表示され、一目で監視設定されたことが分かるように表示される。尚、上述する赤色の監視設定ボタンがある場合は、監視状態に設定する前に扉を閉める等の操作をして赤色を解除する必要がある。
【００１９】
図３（ｃ）は在宅監視設定時の画面を示し、「在宅」ボタンが押されて、４つの監視設定ボタンは全て監視状態に設定されていることを示している。この場合も上記外出監視設定と同様に、全ての監視設定ボタンが周囲の色とは異なる青色で表示され、一目で監視設定されたことが分かるように表示される。
【００２０】
図３（ｄ）は個別監視設定時の画面を示している。監視設定ボタンを個別に押すことで、押された防犯設備のみ監視状態となり、自動的に個別監視設定状態となる。この場合も押されたボタンのみ青色で表示され、他のボタンと異なった表示となる。尚、監視状態を解除したければ、再度監視設定ボタンを押すことで青色は消えて非監視状態となる。
【００２１】
更に具体的に動作を説明すると、図３（ｄ）では「玄関Ａ」と「窓Ａ」の監視設定ボタンを押して監視状態にした場合を示している。監視設定ボタンが押されると、親機ＣＰＵ１５はその情報を受けて、防犯設備Ｉ／Ｆ回路１８を介して防犯設備３ａ、３ｃを監視状態にする。また、親機ＣＰＵ１５は、防犯設備監視情報をディスプレイ６に転送してボタン「玄関Ａ」と「窓Ａ」を監視表示とする。その結果、ディスプレイ６の表示が、図３（ｄ）の監視設定画面のように視覚的に監視状態と分かるように表示色が変わる。この時、親機ＣＰＵ１５は、防犯設備３ａ、３ｃが監視状態であることを記憶部１４に記憶する。
【００２２】
そして、監視設定が成されて監視状態にある玄関ドア等の扉７や窓８に防犯上の異常が発生したら、防犯設備３から異常検出信号が送出され、防犯設備Ｉ／Ｆ回路１８を介し、親機ＣＰＵ１５で受信される。異常検出信号を受信した親機ＣＰＵ１５は、居室親機２のアンプ１７を介してスピーカ１６で警報音を鳴動し、居室親機２のディスプレイ６に警報発報の表示が行なわれると共に、玄関子機１からも警報音を鳴動させる。また、外部接続送受信回路１９、アンテナ１９ａを介して携帯端末４に通知することもできる。
【００２３】
このように、監視状態に設定する防犯設備を選択できるので、動作させたくない防犯設備がある場合は、その防犯設備を監視設定することなく他の防犯設備を監視状態に設定できる。そのため、開けておきたい窓や扉を開けたまま監視状態に設定できるし、監視状態設定後に開けることもでき、在宅の状態での監視設定に便利である。
また、居室親機から選択設定できるので、居住者が自身で防犯設備を選択して監視設定でき、状況に応じて容易に設定を変更でき利便性が高い。
更に、防犯設備の状態が表示されたディスプレイを直接タッチ操作して防犯設備の個別設定をするので、操作し易いし、タッチパネル操作とすることで別途選択スイッチ等を設ける必要がなく、操作部の構成を簡略化できる。
【００２４】
一方、携帯電話等の携帯端末４からでも個別に防犯設備３の監視設定を行なうことが可能となっている。携帯端末４から居室親機２が呼び出されて接続されたら、携帯端末４からの設定情報が外部接続送受信回路１９で受信され、親機ＣＰＵ１５に伝送される。
このように、外出先から監視設定が可能であり、外出する際に設定し忘れた場合でも容易に対応できる。
【００２５】
また、ディスプレイ６で表示される監視設定ボタンの個々の名称は変更できるようになっている。変更操作は、監視設定画面で表示される防犯設備３の変更したい防犯設備３を例えば長押しすることで名称変更モードに入りディスプレイ６が名称変更手段となる。例えば、名称変更モードに入ることでディスプレイ６に予め記憶している複数の名称が表示され、その中から１つを選択操作することで名称変更は実施される。変更内容は、親機ＣＰＵ１５により記憶部１４に記憶される。これにより、ディスプレイ６に表示される防犯設備３の名称変更を行なうことができる。
このように、防犯設備の設置場所に合わせて監視設定ボタンの表示を分かりやすい名称にでき、監視設定操作を間違えることが無くなる。例えば、玄関ドアが１つの場合は「玄関Ｂ」を例えば「浴室」等に変更することができ、防犯設備の設置場所が一目で分かり設定操作がし易くなる。
【００２６】
図４は本発明のインターホンシステムの第２の実施形態を示す構成図であり、集合住宅に設置されるインターホンシステムを示している。図４において、２１は集合住宅のエントランスに設置された集合玄関機、２２は管理室に設置された管理室親機、２３はシステムを制御する制御機、２４は各住戸の玄関に設置された玄関子機、２５は各居室に設置された居室親機であり、上記実施形態と同様の構成要素には同一の符号を付与し説明を省略する。
尚、集合玄関機２１は来訪者を撮像するカメラ２１ａを備えているし、上記実施形態と同様に、玄関子機２４も来訪者を撮像するカメラ５を備えている。また、居室親機２５は、カメラ２１ａ，５が撮像した来訪者映像を出画するディスプレイ６を備え、上記図２の回路ブロック図に示す構成を有している。また、防犯設備３は扉７と２つの窓８，８の計３ヶ所に設置されている。
【００２７】
このように構成されたインターホンシステムの監視設定操作を上記図２の居室親機ブロック図、及び図５に示す監視設定画面説明図を基に説明する。タッチパネル１３の所定の操作で監視設定モードに入ると、ディスプレイ６に図５に示す監視設定画面が表示される。ここでは、防犯設備は「玄関」「窓Ａ」「窓Ｂ」の３つの監視設定ボタンで構成され、防犯設備が３ヶ所に設置されていることを示している。
以下、上記第１の実施形態と同様の操作で、外出監視設定、在宅監視設定、個別監視設定をすることができ、監視設定が成されて監視状態にある扉７や窓８に防犯上の異常が発生したら、居室親機２５は警報発報を行い、ディスプレイ６に警報発報の表示が行なわれる。同時に、親機ＣＰＵ１５は制御機２３を経由して管理室親機２２に警報発報信号を送信し、管理室親機２２でも警報発報が実施される。
【００２８】
このように、集合住宅に設置されたインターホンにおいても、監視状態にする防犯設備を選択可能とすることで、動作させたくない防犯設備を簡易な操作で除外して監視状態に設定でき、開けておきたい窓や扉を開けたまま監視状態に設定できる。また、監視状態に設定した後開けることもでき在宅の状態での監視設定に便利である。
【００２９】
尚、上記実施形態においては、防犯設備を扉や窓の開放を検知する例えばマグネットスイッチのようなセンサとして説明しているが、扉や窓に限らず、例えば投光器、受光器から成る通過センサから成り不審者の通行を検知する防犯設備でも良いし、熱の動きを検知する所謂人感センサから成る防犯設備であっても良い。また、防犯設備を４個或いは３個設けたシステムを示しているが、防犯設備の個数は幾つでも良く、監視設定画面は防犯設備接続数に応じて操作ボタンの数を変更すればよい。
また、「外出」ボタンを押すと「玄関Ａ」〜「窓Ｂ」を全て監視状態に設定しているが、予め「外出」ボタンに監視状態となる防犯設備を割り当てておくことも可能であるし、「在宅」ボタンに割り当てをしておくことも可能である。
【図面の簡単な説明】
【００３０】
【図１】本発明に係るインターホンシステムの第１の実施形態を示す構成図である。
【図２】図１の居室親機の回路ブロック図である。
【図３】図１のディスプレイを監視設定画面とした場合の画面説明図である。
【図４】本発明に係るインターホンシステムの第２の実施形態を示す構成図である。
【図５】図４のディスプレイを監視設定画面とした場合の画面説明図である。
【符号の説明】
【００３１】
１・・玄関子機、２・・居室親機、３（３ａ〜３ｄ）・・防犯設備、４・・携帯端末、６・・ディスプレイ（表示部）、７・・扉、８・・窓、１３・・タッチパネル（操作部）、１４・・記憶部、１５・・親機ＣＰＵ、１９・・外部接続送受信回路、２１・・集合玄関機、２３・・制御機、２４・・玄関子機、２５・・居室親機。
【図１】
2007058663.tif 000003
【図２】
2007058663.tif 000004
【図３】
2007058663.tif 000005
【図４】
2007058663.tif 000006
【図５】
2007058663.tif 000007